(57)【要約】【課題】  発光色にバラツキのある白色発光ダイオードを利用しながら、バックライト全体としては色ムラや発光ムラを抑制して表示画像の品質を高め、製造コストの増加を抑制した液晶表示装置を提供すること。【解決手段】  液晶表示パネルと、この液晶表示パネルの背面に配置されるバックライトとを有する液晶表示装置において、該バックライトは、該液晶表示パネルと対向する平面内に配列した複数の白色発光ダイオードを有し、該白色発光ダイオード毎に特定される発光色の色度座標値に基づき、近接配置される複数の白色発光ダイオード（１ａ，１ｂ）による平均化した発光色が、色度座標の所定座標値となるように、近接配置する複数の白色発光ダイオードの組み合わせが選定されていることを特徴とする。【選択図】図３
2010175594.tif 000002
【特許請求の範囲】
【請求項１】
液晶表示パネルと、この液晶表示パネルの背面に配置されるバックライトとを有する液晶表示装置において、
該バックライトは、該液晶表示パネルと対向する平面内に配列した複数の白色発光ダイオードを有し、
該白色発光ダイオード毎に特定される発光色の色度座標値に基づき、近接配置される複数の白色発光ダイオードによる平均化した発光色が、色度座標の所定座標値となるように、近接配置する複数の白色発光ダイオードの組み合わせが選定されていることを特徴とする液晶表示装置。
【請求項２】
請求項１に記載の液晶表示装置において、該白色発光ダイオード毎に特定される発光色の色度座標値に基づき、該座標値が近接する複数の集合に該白色発光ダイオードをグループ分けし、前記複数の集合から選択される白色発光ダイオードの特定の組み合わせを単位配列として近接配置し、該単位配列を繰り返すことで平面内に複数の白色発光ダイオードを配列することを特徴とする液晶表示装置。
【請求項３】
請求項１に記載の液晶表示装置において、該白色発光ダイオード毎に特定される発光色の色度座標値に基づき、該座標値が近接する２つの集合に該白色発光ダイオードをグループ分けし、前記２つの集合から選択される白色発光ダイオードを交互に千鳥状に配置することを特徴とする液晶表示装置。
【請求項４】
請求項１に記載の液晶表示装置において、該白色発光ダイオード毎に特定される発光色の色度座標値に基づき、該座標値が近接する３つの集合に該白色発光ダイオードをグループ分けし、前記３つの集合から選択される白色発光ダイオードを交互にデルタ状に配置することを特徴とする液晶表示装置。
【請求項５】
請求項１に記載の液晶表示装置において、該白色発光ダイオード毎に特定される発光色の色度座標値と発光強度とに基づき、近接配置される複数の白色発光ダイオードによる平均化した発光色の色度座標値を算出することを特徴とする液晶表示装置。
【請求項６】
請求項５に記載の液晶表示装置において、前記近接配置される複数の白色発光ダイオードの平均した発光強度が、所定発光強度となるように、近接配置する複数の白色発光ダイオードの組み合わせが選定されていることを特徴とする液晶表示装置。
【発明の詳細な説明】
【技術分野】
【０００１】
本発明は、液晶表示装置に関し、特に、複数の白色発光ダイオードを平面状に規則的に配列したバックライトを用いた液晶表示装置に関する。
【背景技術】
【０００２】
通常、液晶表示装置には、液晶パネルを背面から照明するバックライトが利用されている。バックライトは、種々の発光源が利用可能であるが、主なものに冷陰極管や外部電極蛍光管などの蛍光管、エレクトロルミネッセンスなどの面状光源、発光ダイオード（ＬＥＤ）などの点状光源が利用されている。
【０００３】
近年では、液晶表示装置の大画面化、省電力化、さらには、バックライトの表示画像に合わせた点灯制御などの要請から、特に、点光源素子である発光ダイオードを平面状に配置するバックライトへのニーズが高まっている。
【０００４】
発光ダイオードは、特許文献１に示すように、ＲＧＢなどの異なる発光色に対応する発光ダイオードを組み合わせて用いることも可能であるが、特許文献２〜４に示すように、白色発光ダイオードを利用することも行われている。使用する発光ダイオードの個数を少なくし、かつ製造コストの増加を抑制するには、白色発光ダイオードを利用することが、より好ましい。
【先行技術文献】
【特許文献】
【０００５】
【特許文献１】特開２００６−３２４１３４号公報
【特許文献２】特開２００２−２３１０３２号公報
【特許文献３】特開２００４−２４６１１７号公報
【特許文献４】特開２００８−９７８９６号公報
【発明の概要】
【発明が解決しようとする課題】
【０００６】
白色発光ダイオードには、製品毎の発光色にバラツキがある。図１の色度図で示すように、例えば、蛍光ランプの発光色のバラツキが領域１の範囲であるのに対し、白色発光ダイオードの発光色のバラツキは領域２のように、ｘ軸又はｙ軸で約１０倍程度に広くなっている。このため、複数の白色発光ダイオードを使用してバックライトを構成する場合には、バックライトの発光色が場所によって異なるなど色ムラや発光ムラが発生することとなる。
【０００７】
このため、発光色や発光量が所定の範囲に含まれる白色発光ダイオードを選別して使用することも考えられる。このような場合には、大半の白色発光ダイオードが無駄となり、極めて高コストな液晶表示装置となる。
【０００８】
本発明が解決しようとする課題は、上述したような問題を解決し、発光色にバラツキのある白色発光ダイオードを利用しながら、バックライト全体としては色ムラや発光ムラを抑制して表示画像の品質を高め、製造コストの増加を抑制した液晶表示装置を提供することである。
【課題を解決するための手段】
【０００９】
上記課題を解決するために、本発明は以下のような特徴を有している。
【００１０】
（１）  液晶表示パネルと、この液晶表示パネルの背面に配置されるバックライトとを有する液晶表示装置において、
該バックライトは、該液晶表示パネルと対向する平面内に配列した複数の白色発光ダイオードを有し、
該白色発光ダイオード毎に特定される発光色の色度座標値に基づき、近接配置される複数の白色発光ダイオードによる平均化した発光色が、色度座標の所定座標値となるように、近接配置する複数の白色発光ダイオードの組み合わせが選定されていることを特徴とする。
【００１１】
（２）  上記（１）に記載の液晶表示装置において、該白色発光ダイオード毎に特定される発光色の色度座標値に基づき、該座標値が近接する複数の集合に該白色発光ダイオードをグループ分けし、前記複数の集合から選択される白色発光ダイオードの特定の組み合わせを単位配列として近接配置し、該単位配列を繰り返すことで平面内に複数の白色発光ダイオードを配列することを特徴とする。
【００１２】
（３）  上記（１）に記載の液晶表示装置において、該白色発光ダイオード毎に特定される発光色の色度座標値に基づき、該座標値が近接する２つの集合に該白色発光ダイオードをグループ分けし、前記２つの集合から選択される白色発光ダイオードを交互に千鳥状に配置することを特徴とする。
【００１３】
（４）  上記（１）に記載の液晶表示装置において、該白色発光ダイオード毎に特定される発光色の色度座標値に基づき、該座標値が近接する３つの集合に該白色発光ダイオードをグループ分けし、前記３つの集合から選択される白色発光ダイオードを交互にデルタ状に配置することを特徴とする。
【００１４】
（５）  上記（１）に記載の液晶表示装置において、該白色発光ダイオード毎に特定される発光色の色度座標値と発光強度とに基づき、近接配置される複数の白色発光ダイオードによる平均化した発光色の色度座標値を算出することを特徴とする。
【００１５】
（６）  上記（５）に記載の液晶表示装置において、前記近接配置される複数の白色発光ダイオードの平均した発光強度が、所定発光強度となるように、近接配置する複数の白色発光ダイオードの組み合わせが選定されていることを特徴とする。
【発明の効果】
【００１６】
上記（１）に記載した液晶表示装置では、白色発光ダイオード毎に特定される発光色の色度座標値に基づき、近接配置される複数の白色発光ダイオードによる平均化した発光色が、色度座標の所定座標値となるように、近接配置する複数の白色発光ダイオードの組み合わせが選定されているため、発光色のバラツキの少ないバックライトが実現でき、表示画質の高い液晶表示装置を提供することが可能となる。しかも、発光色にバラツキのある白色発光ダイオードを利用することが可能であるため、製造コストの増加も抑制可能となる。
【００１７】
上記（２）の構成により、白色発光ダイオード毎に特定される発光色の色度座標値に基づき、該座標値が近接する複数の集合に該白色発光ダイオードをグループ分けし、前記複数の集合から選択される白色発光ダイオードの特定の組み合わせを単位配列として近接配置し、該単位配列を繰り返すことで平面内に複数の白色発光ダイオードを配列するため、単位配列間で発光色のバラツキが抑え、結果として、バックライト全体の発光色のバラツキの発生を抑制できる。しかも、白色発光ダイオードを予め複数の集合に選別しているため、バックライト組み立て作業時には、各集合に分けられた白色発光ダイオードを特定の組み合わせに従って、発光ダイオードを支持する支持基板に、順次、配置固定するだけで良く、作業効率も高めることが可能となる。
【００１８】
上記（３）の構成により、白色発光ダイオード毎に特定される発光色の色度座標値に基づき、該座標値が近接する２つの集合に該白色発光ダイオードをグループ分けし、前記２つの集合から選択される白色発光ダイオードを交互に千鳥状に配置するため、近接する２種類の白色発光ダイオードが協働して所定の発色を行い、しかも、２種類の白色発光ダイオードが互いに入り組むように配置されることとなる。これにより、より色ムラの少ないバックライトが実現でき、高画質な液晶表示装置を提供することができる。
【００１９】
上記（４）の構成により、白色発光ダイオード毎に特定される発光色の色度座標値に基づき、該座標値が近接する３つの集合に該白色発光ダイオードをグループ分けし、前記３つの集合から選択される白色発光ダイオードを交互にデルタ状に配置するため、近接する３種類の白色発光ダイオードが協働して所定の発色を行い、しかも、３種類の白色発光ダイオードが互いに入り組むように配置されることとなる。これにより、より色ムラの少ないバックライトが実現でき、高画質な液晶表示装置を提供することができる。
【００２０】
上記（５）の構成により、白色発光ダイオード毎に特定される発光色の色度座標値と発光強度とに基づき、近接配置される複数の白色発光ダイオードによる平均化した発光色の色度座標値を算出するため、白色発光ダイオード毎の発光強度のバラツキも考慮しており、実際の発光状態における発光色を、目標の色度座標値により近づけることが可能となる。
【００２１】
上記（６）の構成により、近接配置される複数の白色発光ダイオードの平均した発光強度が、所定発光強度となるように、近接配置する複数の白色発光ダイオードの組み合わせが選定されているため、発光強度のバラツキも抑制でき、より高画質な液晶表示装置を提供することができる。
【図面の簡単な説明】
【００２２】
【図１】白色発光ダイオードの色度分布と蛍光ランプの色度分布とを対比する色度図である。
【図２】２つの集合体（ＺＡ，ＡＢ）を用いた発光色の調整方法を説明する色度図である。
【図３】２種類の白色発光ダイオードを千鳥状に配置する例を示す図である。
【図４】実際に製造される白色発光ダイオードの色度座標の分布を説明する図である。
【図５】３つの集合体を用いた発光色の調整方法を説明する色度図である。
【図６】３種類の白色発光ダイオードをデルタ状に配置する例を示す図である。
【図７】本発明に係る液晶表示装置の概略構成図である。
【発明を実施するための形態】
【００２３】
以下、本発明の構成について、好適例を用いて詳細に説明する。
【００２４】
図７は、本発明が適用される液晶表示装置の概略構成図である。液晶表示パネルＰＮＬは観察者側に配置され、該液晶表示パネルＰＮＬの後方にシートＯＳ、及びバックライトＢＬが順次配置されている。
【００２５】
液晶表示パネルＰＮＬは、一対の平行配置された、例えば、ガラスからなる基板ＳＵＢ１、ＳＵＢ２を有し、これら各基板ＳＵＢ１、ＳＵＢ２の間に液晶が挟持される。基板ＳＵＢ１、ＳＵＢ２の液晶側の面には、マトリックス状に配置された画素（図示せず）が該液晶を一構成要素として形成され、これら画素毎にその光透過率を制御できる。これら各画素が形成された領域を表示領域ＡＲ（図中一点鎖線枠で囲まれた領域）とし、この表示領域ＡＲにおいて、バックライトＢＬからの光を通して観察者に画像を認識させる。
【００２６】
基板ＳＵＢ１は、例えば、図中左側辺及び上側辺において基板ＳＵＢ２から露出された部分を有し、これらの部分において、複数のフレキシブル基板ＦＢの一辺側が接続されている。これらフレキシブル基板ＦＢには、前記各画素を独立に駆動させるための映像信号駆動回路Ｈｅ及び走査信号駆動回路Ｖが形成されている。
【００２７】
図中Ｘ方向に並設されるフレキシブル基板ＦＢには、映像信号駆動回路Ｈｅが形成される。この映像信号駆動回路Ｈｅが形成されたフレキシブル基板ＦＢは、基板ＳＵＢ１と接続された一辺側と対向する他の辺側にプリント基板ＰＣＢ１、ＰＣＢ２が接続され、プリント基板ＰＣＢ１、ＰＣＢ２を介して図示しない制御回路から映像信号が入力される。また、図中Ｙ方向に並設されるフレキシブル基板ＦＢには、走査信号駆動回路Ｖが形成される。この走査信号駆動回路Ｖが形成されたフレキシブル基板ＦＢは、表示制御回路（図示せず）からの入力信号がプリント基板ＰＣＢ１と基板ＳＵＢ１の表面に形成された配線（図示せず）を介して入力されるようになっており、前記映像信号駆動回路Ｈｅが載置されたフレキシブル基板ＦＢのように、プリント基板ＰＣＢ１、ＰＣＢ２に相当する他の基板は、特に、接続されていない。
【００２８】
液晶表示パネルＰＮＬの背面には、例えば、拡散シート、プリズムシート、あるいはこれらの積層体からなる光学シートＯＳを介してバックライトＢＬが配置されている。光学シートＯＳは、バックライトＢＬからの光を拡散、あるいは集光させたりして液晶表示パネルＰＮＬに導くようになっている。
【００２９】
バックライトＢＬは、液晶表示パネルＰＮＬの少なくとも表示領域ＡＲと対向して配置される支持基板ＬＰの表面に、複数の点光源素子となる白色発光ダイオード１がマトリックス状に配置されることによって形成されている。
【００３０】
本発明に係る液晶表示装置においては、使用する白色発光ダイオード１が、次のような条件を満足するように、選定し支持基板ＬＰ上に配置されている。
＜白色発光ダイオードの選定・組み合わせ条件＞
白色発光ダイオード毎に特定される発光色の色度座標値に基づき、近接配置される複数の白色発光ダイオードによる平均化した発光色が、色度座標の所定座標値となるように、近接配置する複数の白色発光ダイオードの組み合わせが選定されること。
【００３１】
これは、個々の白色発光ダイオードの発光色にバラツキがあっても、選定され組み合わされた複数の白色発光ダイオードが、全体として、所定の色度座標値の発色を示すように設定することを意味している。
【００３２】
複数の白色発光ダイオードによる平均化した発光色の色度座標値を調べる方法としては、組み合わせる白色発光ダイオードの色度座標値を実測する方法もあるが、より好ましくは、各白色発光ダイオードの色度座標値を予め測定し、組み合わせる白色発光ダイオード全体の色度座標値の平均値を算出する方法が、より簡便である。なお、色度座標としては、ＣＩＥ表色系のｘｙ色度座標が利用可能であるが、色度座標値の単純平均値が、発光ダイオードの組み合わせによって発生する発光色の色度座標値に近い値を示す色空間の座標系を用いることが好ましい。
【００３３】
さらに、実際の白色発光ダイオードは、発光色のバラツキだけでなく、発光強度のバラツキも有している。発光強度のバラツキは、各発光ダイオードの駆動電圧を調整することで、制御することも可能であるが、発光ダイオード毎に定常状態時の駆動電圧に差を設けることは、駆動回路が複雑化する上、発光ダイオード毎の劣化スピードに差が生じ易く、結果として、バックライトの寿命を短くする原因となる。また、発光強度を調整すると、発光色も変化し易く、発光色の調整をより複雑化させる原因にもなる。
【００３４】
このため、各白色発光ダイオードの発光強度のバラツキも考慮して、発光ダイオードの組み合わせや配置を考えることは、液晶表示装置における製造コストの増加の抑制や長寿命化を達成する上で、極めて重要となる。
【００３５】
白色発光ダイオード毎に、発光色の色度座標値を特定するだけでなく、所定の駆動電力に対する発光強度も予め特定する。そして、組み合わせる白色発光ダイオード全体の色度座標値の平均値を算出する際に、各発光ダイオードの発光強度で加重平均を行い、より実際の発光状態に近い発光色（色度座標値）を算出することが可能となる。
【００３６】
さらに、組み合わせた白色発光ダイオードの平均発光強度（又は全体の発光強度）が所定の発光強度となるよう設定することにより、白色発光ダイオードの組み合わせ毎の発光強度のバラツキを抑制し、バックライト全体として発光強度のバラツキを少なくすることが可能となる。
【００３７】
上記「白色発光ダイオードの選定・組み合わせ条件」における「所定座標値」としては、例えば、白色を示す色度座標値（ｘ，ｙ）＝（０．３１２７，０．３２９０）などの特定の点を意味するだけでなく、むしろ、特定の点に近い座標点の集合体（範囲）であっても良い。例えば、図１に示すような蛍光ランプを用いた場合と同様の発光色を期待する場合には、色度座標値（ｘ，ｙ）＝（０．２５，０．２５）を中心として、ｘ軸及びｙ軸が共に０．２４〜０．２６の範囲、より好ましくは、０．２４５〜０．２５５の範囲に設定することもできる。
【００３８】
実際に、白色発光ダイオードを選別し、効率良くバックライトを組み立てるには、白色発光ダイオード毎に特定される発光色の色度座標値に基づき、該座標値が近接する複数の集合に該白色発光ダイオードをグループ分けし、前記複数の集合から選択される白色発光ダイオードの特定の組み合わせを単位配列として近接配置し、該単位配列を繰り返すことで平面内に複数の白色発光ダイオードを配列する。
【００３９】
つまり、白色発光ダイオードを、特性の似通ったもの同士が一緒になるよう、複数の集合体に予め選別しておき、バックライト組み立て作業時には、各集合体から必要な数の白色発光ダイオードを取り出し、予め設定された配列で発光ダイオードを支持する支持基板に配置固定する。この作業を順次繰り返すことで、全体として発光色のバラツキを抑制したバックライトを得ることができる。なお、各組み合わせに用いる発光ダイオードは、各集合体から一つの白色発光ダイオードのみを利用するものに限定されず、例えば、ある集合体から１つの白色発光ダイオードを取り出し、また、他の集合体からは２つの発光ダイオードを取り出し、そして、これらを組み合わせて、所定の発光色（色度座標値）を得るよう構成することも可能である。
【００４０】
次に、複数の白色発光ダイオードの具体的な組み合わせ方について、２つの集合体を利用する場合と、３つの集合体を利用する場合を中心に、説明する。
【００４１】
白色発光ダイオード毎の色度座標値は、図２の色度図に示すゾーンＺの範囲に分布しているものを利用する。白色発光ダイオード毎の色度座標値は、予め測定することで容易に求められる。ゾーンＺは、色度図上の一点鎖線ａ−ｂに沿った分布を示している。
【００４２】
点Ｗは、複数の白色発光ダイオードを組み合わせた際に期待される、所定の色度座標値であり、例えば、白色を示す色度座標値（ｘｗ，ｙｗ）＝（０．３１２７，０．３２９０）が与えられる。なお、期待される所定の色度座標値は、上述したように特定点のみである必要はなく、例えば、ｘ軸が（０．３１２７−α）〜（０．３１２７＋α）の範囲、ｙ軸が（０．３２９０−β）〜（０．３２９０＋β）の範囲で各々指定されても良い。ただし、α，βは許容範囲を示す数値である。
【００４３】
ゾーンＺ内の白色発光ダイオードを２つ抽出し、色度座標値の平均値が点Ｗと同じ値（又は所定範囲の値）となる組み合わせを探す作業は、極めて煩雑である。このため、本発明では、図２のように、ゾーンＺを、点Ｗに対して点対称となる２つの集合体（ＺＡ，ＺＢ）にグループ分け、この２つの集合体から一つずつ白色発光ダイオードを無作為に抽出し、図３に示すように、支持基板（不図示）上に千鳥状に配置する。図３における符号１ａは集合体ＺＡから抽出される白色発光ダイオードであり、符号１ｂは集合体ＺＢから抽出される白色発光ダイオードである。
【００４４】
一つの集合体（ＺＡ，ＺＢ）のみを見ると、選択された白色発光ダイオードがゾーンＺＡあるいはＺＢのどの位置に配置されたものであるのか、無作為に抽出されたものであるため、目標とする点Ｗとどれだけズレがあるのか分からない。しかし、このような集合体（ＺＡ，ＺＢ）を支持基板全体で数多く配置することによって、支持基板全体では、ゾーンＺＡの色度座標値の平均値とゾーンＺＢの色度座標値の平均値との更なる平均値となるため、結果として目標とする点Ｗにより近似することになる。
尚、本実施例においては、目標とする色度座標値（点Ｗ）からの距離に応じて各集合体をさらに細分化し、各集合体内の点Ｗからの距離がほぼ等しい、細分化したグループから白色発光ダイオードを抽出し組み合わせるよう構成することも可能である。
【００４５】
上記の例は、２つの集合体を利用する例である。色度座標値が比較的均一化された白色発光ダイオードが製造される場合には、この方法でも問題は無い。しかし一般に、白色発光ダイオードを製造した場合には、目標とする色度座標値を中心に四方八方に分散する。例えば、色度座標値（ｘ，ｙ）＝（０．２７５，０．２７５）を目標として製造した場合でも、表１に示すような８方向に分散する白色発光ダイオードが製造される場合がある。これらを、色度図で示したものが、図４の各点であり、その中の四角形は、大部分の発光ダイオードが存在している領域を示している。なお、表１のＲＧＢ欄の数値は、ＲＧＢの各色要素毎の発光強度を示し、Ｌは白色光としての発光強度を示す。
【００４６】
【表１】
2010175594.tif 000003
【００４７】
図４のように、色度座標値が、色度図の四方八方に広がる場合への対処方法を説明する。例えば、図５に示すように、実線ａ−ａ’−ａ”で示す三方向に３つのゾーンを形成し、各ゾーンに座標値が含まれる発光ダイオードを集めて、３つの集合体を作る。そして、３つの集合体から選択される白色発光ダイオードを、図６に示すように、交互にデルタ状に配置する。なお、符号１ａは実線ａ方向のゾーン（集合体）から抽出された白色発光ダイオード、符号１ａ’は実線ａ’方向のゾーン（集合体）から抽出された白色発光ダイオード、符号１ａ”は実線ａ”方向のゾーン（集合体）から抽出された白色発光ダイオードを、各々示している。
【００４８】
３つの集合体を作って白色発光ダイオードの組み合わせを調整する場合でも、上述した２つの集合体の場合と同様に、目標とする色度座標値（例えば、点Ｗ）からの距離に応じて各集合体をさらに細分化し、各集合体内の点Ｗからの距離がほぼ等しい、細分化したグループから白色発光ダイオードを抽出し組み合わせるよう構成することも可能である。
【００４９】
図６では、３つの集合体のみから抽出して配置しているが、これに代えて、次のように構成することも可能である。図５の一点鎖線ｂ−ｂ’−ｂ”で示す他の三方向に３つのゾーンを形成し、各ゾーンに座標値が含まれる発光ダイオードを集めて、新たな３つの集合体を作る。そして、実線ａ−ａ’−ａ”に基づく３つの集合体から抽出された白色発光ダイオードで構成されるデルタ状の単位配列と、一点鎖線ｂ−ｂ’−ｂ”に基づく他の３つの集合体から抽出された白色発光ダイオードで構成される他のデルタ状の単位配列とを混在させて配置することも可能である。
【００５０】
上述した２つの集合体又は３つの集合体を用いる例では、各白色発光ダイオードの発光強度はほぼ同じであるとの前提で説明しているが、各発光ダイオードの発光強度を考慮して組み合わせを変更することも可能であることは、言うまでもない。
【産業上の利用可能性】
【００５１】
以上説明したように、本発明によれば、発光色にバラツキのある白色発光ダイオードを利用しながら、バックライト全体としては色ムラや発光ムラを抑制して表示画像の品質を高め、製造コストの増加を抑制した液晶表示装置を提供することが可能となる。
【符号の説明】
【００５２】
１  白色発光ダイオード
２  白色発光ダイオードの色度座標値の分布範囲
３  蛍光ランプの色度座標値の分布範囲
ＰＮＬ  液晶表示パネル
ＯＳ  光学シート
ＢＬ  バックライト
ＦＢ  フレキシブル基板
Ｈｅ  映像信号駆動回路
Ｖ  走査信号駆動回路
ＳＵＢ１，ＳＵＢ２  基板
ＰＣＢ１，ＰＣＢ２  プリント基板
ＡＲ  表示領域
ＣＢ，ＣＢ１〜２  ケーブル
ＣＮ，ＣＮ１〜３  コネクタ
ＬＰ，ＬＰ１〜２  支持基板
【図１】
2010175594.tif 000004
【図２】
2010175594.tif 000005
【図３】
2010175594.tif 000006
【図４】
2010175594.tif 000007
【図５】
2010175594.tif 000008
【図６】
2010175594.tif 000009
【図７】
2010175594.tif 000010